(57)【要約】      （修正有）【課題】仮橋の施工時におけるパネル体を地上での組み立て作業及び撤去時における仮橋の支柱の解体作業の簡易化をすることで工期を大幅に短縮するとともに、解体後の支柱を他の施工現場の仮橋のパネル体として再利用を容易にすることが可能な仮橋及びその仮橋の施工方法を提供する。【解決手段】地表に沿って順次打ち込まれた基礎杭と、この上端に固定される複数の支柱１０、１０及び補強部材からなるパネル体と、該パネル体の上端に固定される上部構造物と、を備えてなり、支柱１０は、上端及び下端の周囲に配設された接続リブ１１、１１と、これらが同一直線上になるように仮接続した後、両方の平面に当接して固定される添接板１５、１５と、支柱１０の上端から上方に突出し、他の支柱１０の下端側の内周面と嵌合し得る誘導リブと、からなる継手構造を有する。【選択図】図２
2020105864.tif 000002
【特許請求の範囲】
【請求項１】
地表に沿って順次打ち込まれた基礎杭と、該基礎杭の上端に固定される複数の支柱からなるパネル体と、該パネル体の上端に固定される主桁及び受桁を備えた上部構造物と、からなる仮橋であって、
前記パネル体は、基礎杭上端に固定される複数の支柱と、該支柱間を固定してパネル体の強度を補強するために支柱間に取付けられる補強部材と、を備えてなり、
前記支柱は、基礎杭上端から仮橋の上部構造物を設置するための高さの長さにするために接続する少なくとも一対の下側支柱及び上側支柱と、前記下側支柱の上端及び前記上側支柱の下端を接続する継手構造と、を有し、
前記継手構造は、前記下側支柱の上端の周囲に配設された接続リブと、前記上側支柱の下端の周囲に配設された接続リブと、前記両接続リブ間の平面に当接して固定される添接板と、前記下側支柱の上面から上方に突出するように形成された前記上側支柱の下端側の内周面と嵌合し得る誘導リブと、を有することを特徴とする仮橋。
【請求項２】
接続リブは、下側支柱及び上側支柱の外周面から外方にかけて突出する複数の板状体を等間隔で放射状に配設したことを特徴とする請求項１記載の仮橋。
【請求項３】
誘導リブは、下側支柱の上面において、前記下側支柱の内周面から鉛直方向に立ち上がる立設部と、該立設部の上縁から前記下側支柱の中心円方向に傾斜する傾斜部とを有する板状体を十字方向に複数配設したことを特徴とする請求項１記載の仮橋。
【請求項４】
土木事業における主体工事をするために一時的に使用するための仮橋の施工方法であって、
仮橋の幅方向の地表に基礎杭を打設する基礎杭打設工程と、該基礎杭の上端に固定するための支柱と、該支柱間に掛け渡す補強部材とを組み立てるパネル体組立工程と、前記パネル体を基礎杭上端にクレーン等で吊り上げて基礎杭上端に固定するパネル建込工程と、前記パネル体間に延伸方向に係る補強部材を取付けて補強する補強部材取付工程と、前記パネル体の上端に仮橋の上部構造物を取付ける上部構造物取付工程と、を備えてなり、
前記パネル体組立工程は、少なくとも一対の下側支柱及び上側支柱を上下に接続して支柱を構成する接続工程を含み、該接続工程は、前記下側支柱の上面において、内周面から鉛直方向に立ち上がる立設部と、該立設部の上縁から前記下側支柱の中心軸方向に傾斜する傾斜部とを有する板状体からなる誘導リブによって案内して前記下側支柱と前記上側支柱を嵌合し、前記上側支柱の下端と前記下側支柱の上端の周囲に配設された前記接続リブを同一直線状になるように調整し、同一直線状に配置された前記接続リブに跨って添接板を表裏の両面に当接し、固定ボルトを前記接続リブの貫通孔及び前記添接板のボルト孔に挿通して上下の前記接続リブに固定することを特徴とする仮橋の施工方法。
【発明の詳細な説明】
【技術分野】
【０００１】
本発明は、土木事業における主体工事をするために一時的に使用することを目的として架ける仮橋及び仮橋の施工方法に関する。
【背景技術】
【０００２】
従来の仮橋は、土木事業における橋の架替え工事等の迂回路用の橋、工事用車両等の通行用の橋、洪水や地震等により橋が被災した場合の応急的な橋等の主体工事をするために一時的に使用することを目的とするものである。
【０００３】
例えば、主体工事のひとつである山岳地に高速道路等を建設するために工事用車両等の通行用の仮橋を施工する場合には、短期間かつ高所作業を低減する施工方法として、仮橋の延長方向に順次杭打ちをし、地上作業で組み上げられた支柱を備えたパネル体をクレーン等で吊り上げて、基礎杭上端に支柱を固定する施工方法が提案されている（特許文献１参照）。
【０００４】
特許文献１に記載された仮橋の施工工程には、実際の施工現場である山岳地等の傾斜する地形や複雑な地盤からなる地表によって、施工計画段階で予定されていた寸法の杭打ちされることが少なく、杭打ちした後に基礎杭の上端を切り揃えるものであり、基礎杭固定用管より上方に突出した基礎杭の突出部分を切除する工程を有するものである。
【０００５】
また、このパネル体は、基礎杭の上端に固定する複数の支柱と、該支柱間に固定する水平つなぎ部材や斜材等からなる補強部材と、該支柱の上端に固定する受桁と、を地上で組み立て作業を行われるものであり、とりわけ、上部構造物を設置する高さに合わせて所定の長さの支柱を高さ方向に支柱の上端と他の支柱の下端とを溶接するものであった。
【先行技術文献】
【特許文献】
【０００６】
【特許文献１】特開２０１４―５６５２号公報（特許第５７１８８６１号）
【発明の概要】
【発明が解決しようとする課題】
【０００７】
しかしながら、上述したパネル体の支柱間を溶接する工程を有するため、仮橋の施工時及び撤去時において以下の工程(a)(b)を必要とするものであり、該工程(a)(b)を行う際に高所作業で以下の工程を必要とするため施工工程全体の作業能率が低下する問題点を有するものであった。
(a)支柱を連結するための溶接工程、
(b)溶接の接合状態を検査する検査工程、
また、主体工事の施工終了後にパネル体を解体する際に、この支柱の溶接部分を高所等で切断する切断工程を有するため、他の施工現場での仮橋に使用するには、長さが足りなかったり、強度が低下したりしてパネル体を再利用することが難しくなるおそれがあった。
【０００８】
したがって、本発明は、上記欠点を解決するための仮橋及び仮橋の施工方法であって、仮橋の施工時におけるパネル体を地上での組み立て作業及び撤去時における仮橋の支柱の解体作業の簡易化をすることで工期を大幅に短縮するとともに、解体後の支柱を他の施工現場の仮橋のパネル体として再利用を容易にすることが可能な仮橋及びその仮橋の施工方法を提供することを目的とする。
【課題を解決するための手段】
【０００９】
本発明は、上記課題に鑑み、地表に沿って順次打ち込まれた基礎杭と、該基礎杭の上端に固定される複数の支柱からなるパネル体と、該パネル体の上端に固定される主桁及び受桁を備えた上部構造物と、からなる仮橋であって、
前記パネル体は、基礎杭上端に固定される複数の支柱と、該支柱間を固定してパネル体の強度を補強するために支柱間に取付けられる補強部材と、を備えてなり、
前記支柱は、基礎杭上端から仮橋の上部構造物を設置するための高さの長さにするために接続する少なくとも一対の下側支柱及び上側支柱と、前記下側支柱の上端及び前記上側支柱の下端を接続する継手構造と、を有し、
前記継手構造は、前記下側支柱の上端の周囲に配設された接続リブと、前記上側支柱の下端の周囲に配設された接続リブと、前記両接続リブ間の平面に当接して固定される添接板と、前記下側支柱の上面から上方に突出するように形成された前記上側支柱の下端側の内周面と嵌合し得る誘導リブと、を有することを特徴とするものである。
【００１０】
また、上述した構成に加え、接続リブは、下側支柱及び上側支柱の外周面から外方にかけて突出する複数の板状体を等間隔で放射状に配設したことが好ましい。
【００１１】
また。上述した構成に加え、誘導リブは、下側支柱の上面において、前記下側支柱の内周面から鉛直方向に立ち上がる立設部と、該立設部の上縁から前記下側支柱の中心円方向に傾斜する傾斜部とを有する板状体を十字方向に複数配設したことが好ましい。
【００１２】
また、本発明の土木事業における主体工事をするために一時的に使用するための仮橋の施工方法であって、
仮橋の幅方向の地表に基礎杭を打設する基礎杭打設工程と、該基礎杭の上端に固定するための支柱と、該支柱間に掛け渡す補強部材とを組み立てるパネル体組立工程と、前記パネル体を基礎杭上端にクレーン等で吊り上げて基礎杭上端に固定するパネル建込工程と、前記パネル体間に延伸方向に係る補強部材を取付けて補強する補強部材取付工程と、前記パネル体の上端に仮橋の上部構造物を取付ける上部構造物取付工程と、を備えてなり、
前記パネル体組立工程は、少なくとも一対の下側支柱及び上側支柱を上下に接続して支柱を構成する接続工程を含み、該接続工程は、前記下側支柱の上面において、内周面から鉛直方向に立ち上がる立設部と、該立設部の上縁から前記下側支柱の中心円方向に傾斜する傾斜部とを有する板状体からなる誘導リブによって案内して前記下側支柱と前記上側支柱を嵌合し、前記上側支柱の下端と前記下側支柱の上端の周囲に配設された前記接続リブを同一直線状になるように調整し、同一直線状に配置された前記接続リブに跨って添接板を表裏の両面に当接し、固定ボルトを前記接続リブの貫通孔及び前記添接板のボルト孔に挿通して上下の前記接続リブに固定することを特徴とするものである。
【発明の効果】
【００１３】
請求項１ないし４記載の発明によれば、特に支柱の溶接作業からなる仮橋の施工時におけるパネル体の地上での組み立て作業及び撤去時における仮橋の支柱の解体作業を簡易化することで工期を大幅に短縮するとともに、解体後の支柱を他の施工現場の仮橋のパネル体として再利用を容易にすることが可能な仮橋及び仮橋の施工方法を提供することが可能である。
【図面の簡単な説明】
【００１４】
【図１】本発明の実施形態に係る仮橋のパネル体の一例を示す分解平面図である。
【図２】図１の支柱における下側支柱の上端及び上側支柱の下端の継手構造を示す拡大斜視図である。
【図３】図２の支柱を連結した状態を示す斜視図、及び、中央横断面図である。
【図４】本実施形態に係る仮橋の幅方向に基礎杭を打設する基礎杭打設工程を示す概念図である。
【図５】パネル体組立工程を示す概念図である。
【図６】パネル体建込工程を示す概念図であり、(a)延伸方向の図、及び、(b)延伸方向から見た図である。
【図７】上部構造取付工程を示す概念図であり、(a)延伸方向の図、及び、(b)延伸方向から見た図である。
【図８】補強部材取付工程を示す概念図であり、延伸方向の図である。
【図９】パネル体の突出高が高い場合のパネル体建込工程を示す概念図であり、(a)延伸方向の図、及び、(b)延伸方向から見た図である。
【発明を実施するための形態】
【００１５】
本発明の実施形態について図面に基づいて説明する。主に、図１−３に基づいて本実施形態の仮橋のパネル体における継手構造を説明し、図４−８に基づいて仮橋の施工方法を説明する。
【００１６】
(実施形態)
仮橋は、図１―８に示すように主体工事を行うために使用するクレーン車等の工事車両Ｃが渡って作業をするための一時的に建設されるものであり、山岳地等の傾斜した地表に沿って順次打ち込まれた基礎杭５０、５０と、該基礎杭５０、５０の上端に固定される複数の支柱１０、１０及び補強部材３０、３０からなるパネル体１００と、該パネル体１００の上端に固定される受桁４１及び主桁４２などの上部構造物４０と、からなるものである。
【００１７】
図１、６に示すように、パネル体１００は、基礎杭５０、５０の上端に固定される複数の支柱１０、１０と、該支柱１０、１０間に固定してパネル体１００全体の強度を高めるために支柱１０、１０の外周面に設けられた取付片１３、１３と、この取付片１３、１３に水平つなぎ部材３１及び斜材３２などの補強部材３０と、からなり、該支柱１０、１０は、基礎梁２０、２０の上端から仮橋の上部構造物４０を設置するための高さの長さにするために接続する少なくとも一対の下側支柱１０ａ及び上側支柱１０ｂと、からなり、下側支柱１０ａの上端及び上側支柱１０ｂの下端と連結する継手構造を有するものである。
【００１８】
取付片１３、１３は、支柱１０である下側支柱１０ａ及び上側支柱１０ｂの外周面から外方にかけて四方に等間隔で溶接された４つの板状体からなるものであり、該板状体に後述するパネル組立工程(S2)及び補強部材取付工程(S5)において水平つなぎ部材３１及び斜材３２に固定ボルトＢを挿通して固定する貫通孔１３ａ、１３ａを有するものである。
【００１９】
基礎杭５０の上端には、基礎杭５０の上端に嵌合するために支柱１０の最下端に形成された円形状の支柱側フランジ部１４を当接して固定するための基礎梁側フランジ部２１ａを備えた基礎杭固定管２１、２１と、該基礎杭固定管２１、２１の間をつなぐためのつなぎ部２２と、からなる基礎梁２０を有するものである。
【００２０】
図２、３に示すように、支柱１０の継手構造は、下側支柱１０ａの上端と上側支柱１０ｂの下端を連結するものであり、下側支柱１０ａ及び上側支柱１０ｂの上端及び下端の周囲に配設された接続リブ１１、１１と、両接続リブ１１、１１が同一直線上になるように調整して仮接続した後、両接続リブ１１、１１間の平面に当接して固定される添接板１５、１５と、下側支柱１０ａの上面から上方に突出し、上側支柱１０ｂの下端側の内周面と嵌合し得る誘導リブ１２、１２と、を有するものである。
【００２１】
接続リブ１１、１１は、略方形状の板状体であり、下側支柱１０ａの平面方向からみて、下側支柱１０ａの中心軸より下側支柱１０ａの外周面方向に向かって等間隔で放射状になるように突出した板状体が複数配設され、下側支柱１０ａの長手方向の中心軸に対して略垂直方向に２つの固定ボルトＢを挿通するための貫通孔１１ａ、１１ａを有するものである。また、この接続リブ１１、１１は、下側支柱１０ａとの接合を強固にするために開先を施して溶接されるものである。より具体的には、下側支柱１０ａの外径が約４８ｃｍ程度の場合において、この接続リブ１１、１１は、縦幅２７ｃｍ、横幅１３ｃｍ程度の８つの板状体を４５度間隔に縦幅方向の一辺を下側支柱１０ａの外周面に開先を施して溶接させることが好ましい。
【００２２】
誘導リブ１２、１２は、下側支柱１０ａと上側支柱１０ｂとの連結において上側支柱１０ｂとが同一直線状に連結し易くするため、上側支柱１０ｂの下端を案内するものである。誘導リブ１２、１２は、下側支柱１０ａの上面に形成されるものであり、所定の厚みによる支柱１０、１０の内周面に沿って鉛直方向上方に立ち上がり、外方に向けて面を有する立設部１２ａと、この立設部１２ａの上縁から支柱の中心軸方向に傾斜しながら立ち上がり、外方に向けて面を有する傾斜部１２ｂとを有する。この立設部１２ａと傾斜部１２ｂにより、上側支柱１０ｂの内周面が連結時に案内され、上側支柱１０ｂの内周面を嵌合しやすくしている。誘導リブ１２、１２は、等間隔で放射状の一つである十字方向になるように複数配設され、接続リブ１１、１１と同様に、支柱１０との強固に接合されるように、下側支柱１０ａの上端付近の内周面に溶接されるものである。より具体的には、下側支柱１０ａの外径が約４８ｃｍ程度の場合において、この誘導リブ１２、１２は、縦幅１５ｃｍ、横幅８ｃｍ程度の４つの板状体を９０度間隔で縦幅方向の一辺を下側支柱１０ａの内周面に開先を施して溶接されるものである。
【００２３】
また、誘導リブ１２、１２は、下側支柱１０ａの内周面側において対向する一対の誘導リブ１２、１２をひとつの板状体にすることで下側支柱１０ａの継手構造部分の強度をより一層高める。また、このひとつの板状体として誘導リブ１２、１２における下側支柱１０ａの中心軸上の位置に下側支柱１０ａをクレーンの吊り金具で吊り上げるための開口部１２ｃを有するものである。この開口部１２ｃ周辺は強度を高めるために所定の幅を有するように若干上方に突出して肉厚に形成することが好ましい。また、下側支柱１０ａの上端面には、支柱１０の継手構造の強度を保持しながら軽量化をするために、上述の開口部１２ｃを挟むように位置させた略半楕円形状の肉抜き穴１２ｄ、１２ｄを有するものである。
【００２４】
添接板１５は、略長方形状の板状体であり、該板状体の中央付近に直線に配列された接続リブ１１、１１の挿通された固定ボルトＢを連通するためのボルト孔１５ａ、１５ａを有するように形成されるものであり、下側支柱１０ａの上端側の接続リブ１１、１１と上側支柱１０ｂの下端側の接続リブ１１、１１とが同一直線上に位置するように接続した状態において、両接続リブ１１、１１を跨いで両側から挟み込むように当接して固定するものである。したがって、接続リブ１１、１１の個数の少なくとも２倍の枚数を必要とするものである。より具体的には、この添接板１５は、上述した接続リブ１１、１１の形状に合わせて、縦幅３９ｃｍ、横幅１０ｃｍ程度の長方形の板状体にすることで、２つの接続リブ１１、１１が同一直線上の位置した状態の面積に比べて若干小さくすることで接続リブ１１、１１より外側にはみ出ないようにする。
【００２５】
次に、本実施形態に基づく仮橋の施工方法の主要な工程である基礎杭打設工程(S1)、パネル体組立工程(S2)、パネル体建込工程(S3)、及び、上部構造物設置工程(S4)、補強部材取付工程(S5)について主に図４−８に基づいて詳細に説明する。なお、従来技術と同様の工程については説明を省略する。
【００２６】
(S1:基礎杭打設工程)
(S1-1)基礎杭打設工程は、図４に示すように、仮橋を施工する測定した正確な位置に地表を削孔し、基礎杭５０、５０を挿入して建込みやハンマー等で打ち込みをする。この基礎杭５０、５０は、設計上必要な深さに達するまで打ち込むものであり、左右の基礎杭５０、５０はいずれも具体的に寸法に制限されない。
【００２７】
(S1-2)このとき、後述のパネル体建込工程(S3)において、パネル体１００の支柱１０、１０を基礎杭５０、５０の上端に固定するために、左右の基礎杭５０、５０を杭打ちした後、基礎杭５０、５０の上方から、基礎杭固定管２１、２１を通過させて基礎梁２０を基礎杭５０、５０の所定位置まで挿入して固定し、基礎杭固定管２１、２１から突出する基礎杭５０、５０の突出部分を切除することで、左右の基礎杭５０、５０の上端の高さを一致させる。
【００２８】
(S1-3)さらに、基礎杭５０、５０の間に基礎梁２０を架け渡した後、基礎杭固定管２１、２１より上方に突出した部分の基礎杭上端を切除するとともに、基礎杭固定管２１、２１の下端を型枠などで閉塞した状態で、基礎杭５０、５０の外周面と基礎杭固定管２１、２１の内周面の空間及び基礎杭５０、５０の上端部にモルタルやコンクリートを充填することによって基礎梁２０を強固に固定する。
【００２９】
(S2:パネル体組立工程)
(S2-1)パネル体組立工程は、図５に示すように、複数の支柱１０、１０と、該支柱１０、１０間を補強するための補強部材３０と、が分解された状態でトラック等の工事車両Ｃによって主体工事の施工現場に搬送した後に地上にて展開する。
【００３０】
(S2-2：接続工程)展開した複数の支柱１０、１０のうち下側支柱１０ａの上面から突出する誘導リブ１２、１２の傾斜部１２ｂ、立設部１２ａに沿って上側支柱１０ｂの下端を案内して、下側支柱１０ａの誘導リブ１２、１２を上側支柱の内周面に嵌合し、下側支柱１０ａの中心軸方向に沿って同一直線状に当接して仮接続させる。このとき、下側支柱１０ａ及び上側支柱１０ｂの接続リブ１１、１１を同一直線上になるように調整した後に、添接板１５、１５を表裏の両面に当接させて固定ボルトＢを一方の添接板１５、１５のボルト孔１５ａ、１５ａを介して接続リブ１１、１１の貫通孔１１ａ、１１ａに挿通して他方の添接板１５、１５のボルト孔１５ａ、１５ａに挿通した後に、固定ボルトＢを接続リブ１１、１１の貫通孔１１ａ、１１ａを介して添接板１５、１５のボルト孔１５ａ、１５ａに挿通してナットＮにねじ込んで上下の両接続リブ１１、１１に固定する。
【００３１】
(S2-3)その後、平行に位置する支柱１０、１０間を補強部材の水平つなぎ部材３１、３１及び斜材３２、３２を取付片に固定ボルトＢで固定してパネル体１００を地上にて完成させる。
【００３２】
(S3:パネル体建込工程)
(S3-1)パネル体建込工程は、図６に示すように、上述のパネル体組立工程(S2)によって組み立てられたパネル体１００の上端、又は、下端支柱１０ａの誘導リブ１２間に設けられた開口部１２ｃをクレーンのフックで吊り上げた後、パネル体１００の支柱の最下端に形成された支柱側フランジ部１４を基礎杭固定管２１の基礎梁側フランジ部２１ａに設置した後、作業者が基礎杭５０、５０の上端付近に設けられた足場やゴンドラ等を利用し、高所にて作業者が両支柱側フランジ部１４及び基礎梁側フランジ部２１ａに形成された貫通孔に固定ボルトＢを挿通して固定する。
【００３３】
（S4:上部構造物設置工程）
上部構造物設置工程は、図７に示すように、パネル体１００の左右幅方向に受桁４１をパネル体１００の上端に固定し、予め完成している部分の受桁４１に固定して主桁４２を仮橋の延伸方向に架け渡して仮固定する。また、後述する補強部材取付固定(S5)をした後に、受桁４１及び主桁４２を溶接等で本固定する。
【００３４】
（S5:補強部材取付工程）
補強部材取付工程は、図８に示すように、上述の工程を繰り返した後、仮橋の延伸方向Ａ間のパネル体１００間の補強をするために、高所にてゴンドラ等で作業者が、水平つなぎ部材３１及び斜材３２等を予め完成しているパネル体１００の支柱１０と仮橋の延伸方向Ａにパネル体１００を建込んだ支柱１０との間の取付片１３、１３を固定ボルトＢで固定して仮橋の延伸方向に補強する。
【００３５】
上述した工程(S1-S5)を順次繰り返していくこで仮橋を完成させるものであり、本実施形態の支柱１０の継手構造を有することでパネル体１００の溶接作業及び溶接部分の検査作業等をすることなく地上にて安全に組み立て行うことができ、パネル体建込工程(S3)におけるクレーンによるパネル体１００の引き起こし時において生じるパネル体１００自体の自重による撓み等に対しても十分な強度を有することができ、仮橋の施工工程全体の作業能率を格段に向上することができ、施工期間を短縮することが可能である。
【００３６】
また、主体工事の終了後に仮橋を解体する際には、作業者がゴンドラ等を使用して高所にて支柱１０の下側支柱１０ａ及び上側支柱１０ｂの接続部分をカッター等で切断することなく添接板１５から固定ボルトＢを外すことですばやく解体できるとともに、他の主体工事においても支柱１０の長さや強度が変わらないためパネル体１００を再度使用することが可能になる。
【００３７】
また、支柱１０の継手構造によって、接続リブ１１、１１を同一直線上に位置させるように調整することで、取付片１３、１３も同一直線上に位置させることができ、パネル体組立工程(S2)及び補強部材取付工程(S5)において取付片１３、１３の方向や高さずれたりすることなく補強部材３０の取付けを容易に固定することが可能である。
【００３８】
上記の実施形態では本発明の好ましい実施形態を例示したが、本発明は上記の実施形態に限定されるものではなく、特許請求の範囲に記載した範囲内で改善や変更が可能である。例えば、支柱１０の継手構造における接続リブ１１、１１は、７枚以上を溶接してもよく、パネル体建込工程(S3)における支柱１０の撓みによる継手構造周辺かかる偶力による下側支柱１０ａ及び上側支柱１０ｂが分離せず、かつ、仮橋の橋脚として強度を有する程度に適宜に設けてもよい。
【００３９】
また、仮橋の施工方法は、上述した工程(S1-S5)の工程順通りに行う必要はなく、仮橋施工現場の状況において、先にパネル体組立工程(S2)を行うなどの、施工現場の状況に応じて施工工程の順番を適宜に入れ替えてもよい。
【００４０】
また、図９に示すように、パネル体１００が非常に高い突出高を有するような仮橋の規模の大きい施工現場において、パネル体１００の重量が重くなってクレーン車で吊り込みができなくなる際には、予めパネル体建込工程(S3)によって基礎梁２０に固定された一つ又は複数のパネル体１００の上部に対して、高所にて別のパネル体１００の下側支柱１０ａの下端を固定するパネル体組立工程(S2)を行ってもよい。
【符号の説明】
【００４１】
100…パネル体、
10…支柱、10a…下側支柱、10b…上側支柱、11…接続リブ、11a…貫通孔、12…誘導リブ、12a…立設部、12ｂ…傾斜部、12c…開口部、12d…肉抜き穴、13…取付片、13a…貫通孔、14…支柱側フランジ部、15…添接板、15a…ボルト孔、
20…基礎梁、21…基礎杭固定管、21a…基礎梁側フランジ部、22…つなぎ部、
30…補強部材、31…水平つなぎ部材、32…斜材、
40…上部構造物、41…受桁、42…主桁、
50…基礎杭、
B…固定ボルト、N…ナット、C…クレーン車。
【図１】
2020105864.tif 000003
【図２】
2020105864.tif 000004
【図３】
2020105864.tif 000005
【図４】
2020105864.tif 000006
【図５】
2020105864.tif 000007
【図６】
2020105864.tif 000008
【図７】
2020105864.tif 000009
【図８】
2020105864.tif 000010
【図９】
2020105864.tif 000011